(57)【要約】【課題】ユーザ若しくは施設において実際に望まれる使用形態に適合した患者情報の共有化を行うことができる医療システム及び医療機器制御装置を提供する。【解決手段】患者情報を入力可能とする入力手段を備えた複数の医療機器と、これらが通信線１０ａ等を介して接続されたシステムコントローラ４を備えた医療システム１において、実際に患者情報の入力を受け付ける入力先となる入力手段若しくは医療機器の設定と、その患者情報を共有する転送先の医療機器の設定とが行われる。設定された入力手段のみから患者情報を受け付け、その患者情報を設定された転送先の医療機器に転送する構成にして、ユーザ等が望む使用形態に対処し易くしている。【選択図】図１
2008272301.tif 000002
【特許請求の範囲】
【請求項１】
医療行為を行うための複数の医療機器と、前記複数の医療機器を制御する医療機器制御装置とを有する医療システムであって、
前記各医療機器は、それぞれ
患者情報を入力する入力手段と、
前記入力手段により入力された患者情報を前記医療機器制御装置に送信する送信手段を備え、
前記医療機器制御装置は、
前記送信手段により送信された患者情報を受信する受信手段と、
前記受信した患者情報を記憶する記憶手段と、
前記入力手段のうち、患者情報の入力先として登録された入力先手段として設定する入力先設定手段と、
前記複数の医療機器のうち、前記入力先手段からの患者情報を共有するために、該患者情報を転送する転送先の医療機器を設定する転送先設定手段と、
少なくとも前記入力先手段及び前記転送先の医療機器の情報を含み、前記入力先手段からの患者情報を転送する転送ルートに係るルート情報と、前記入力先手段から入力された患者情報とを記憶する記憶手段と、
前記ルート情報に基づき、前記入力先手段から入力される患者情報を、前記転送先の医療機器へ転送する転送手段と、
を備えることを特徴とする医療システム。
【請求項２】
前記入力手段による患者情報の入力を検知する検知手段と、
前記検知手段により検知された入力手段が、前記入力先設定手段により設定された入力先手段であるかどうかを判定する判定手段と、
前記判定手段により前記入力手段が前記入力先手段でないと判定した場合には、前記転送手段による前記患者情報の転送の動作を中止することを特徴とする請求項１に記載の医療システム。
【請求項３】
前記入力先手段による患者情報の入力を検知する検知手段と、
前記検知手段により検知された際に、医療行為が行われている最中か否かを判定する判定手段と、
前記判定手段により医療行為が行われている最中と判定された場合には、前記入力先手段による患者情報の更新を拒否し、医療行為が行われていないと判定された場合には、前記入力先手段による患者情報が該入力先手段による入力前の患者情報と異なる場合に、患者情報を更新して前記記憶手段に記憶することを特徴とする請求項１又は２に記載の医療システム。
【請求項４】
さらに、複数の入力先手段からの患者情報の入力に対して、優先順位を設定することを特徴とする請求項１から３のいずれかの請求項に記載の医療システム。
【請求項５】
医療行為を行うための複数の医療機器を制御すると共に、患者情報の入力を行う複数の入力手段を直接、若しくは前記医療機器を介して制御する医療機器制御装置であって、
前記複数の入力手段のうちから、患者情報の入力先として登録された入力先手段を設定する入力先設定手段と、
前記複数の医療機器のうちから、前記入力先手段からの患者情報を共有するため、該患者情報を転送する転送先の医療機器を設定する転送先設定手段と、
少なくとも前記入力先手段及び前記転送先の医療機器の情報を含み、前記入力先手段から入力された前記患者情報を転送する転送ルートに係るルート情報と、前記入力先手段から入力された患者情報とを記憶する記憶手段と、
前記入力先手段から入力される患者情報に対する判定結果に応じて、該患者情報を前記転送先の医療機器に転送するか否かの制御動作を行う転送制御手段と、
を備えたことを特徴とする医療機器制御装置。
【請求項６】
前記転送制御手段は、前記入力先手段から入力された患者情報が、前記記憶手段に記憶されている患者情報と異なる場合には、前記入力先手段から入力された患者情報を前記転送先の医療機器に転送する動作を行うことを特徴とする請求項５に記載の医療機器制御装置。
【発明の詳細な説明】
【技術分野】
【０００１】
本発明は、複数の医療機器を用いて患者情報の共有化を行う医療システム及び医療機器制御装置に関する。
【背景技術】
【０００２】
一般に、複数の医療機器を備えた医療システムにおいては、患者情報を入力する手段が設けられている。  
例えば、従来例としての特開２００１−３５０５６３号公報には、患者情報等の所定の項目のデータを入力する手間を軽減可能な入力装置、入出力装置及び入出力方法が開示されている。  
この従来例においては、患者情報等のデータを入力する入力操作キーを備えたキーボード装置により、入力されたデータを記憶して、第１の医療機器としての超音波診断装置本体に出力する。また、このキーボード装置は、第１の医療機器から第２の医療機器としてのビデオプロセッサにデータの転送を指示し、この指示により、データの転送処理を実行することを可能にしている。
【０００３】
このような構成として、患者情報等のデータを入力する手間を軽減できるようにしている。  
また、それぞれ患者情報を入力する入力手段を備えた複数の医療機器と、これらを集中制御する集中制御装置とを備えた従来の医療システムにおいては、医療機器から入力された患者情報を集中制御装置が受け取り、受け取った患者情報を他の医療機器へ転送することにより、すべての医療機器に対して共有化をはかっていた。  
この際に、患者情報が入力された医療機器から、集中制御装置までは通信回路等を介して、データの受け渡しが行われる。
【特許文献１】特開２００１−３５０５６３号公報
【発明の開示】
【発明が解決しようとする課題】
【０００４】
上記のように患者情報が入力された医療機器から、集中制御装置までは通信回路等を介して、データの受け渡しが行われるために、ユーザが意図した通りに患者情報の共有化が反映されるとは限らなかった。  
また、従来例においては、医療システムを使用するユーザや、医療システムが形成されている病院等の施設において、実際に使用しようと望む使用形態で患者情報を共有化して利用することが簡単にできない欠点があった。
【０００５】
（発明の目的）
本発明は上述した点に鑑みてなされたもので、ユーザ若しくは施設において実際に望まれる使用形態に適合した患者情報の共有化を行うことができる医療システム及び医療機器制御装置を提供することを目的とする。
【課題を解決するための手段】
【０００６】
本発明の医療システムは、医療行為を行うための複数の医療機器と、前記複数の医療機器を制御する医療機器制御装置とを有する医療システムであって、
前記各医療機器は、それぞれ
患者情報を入力する入力手段と、
前記入力手段により入力された患者情報を前記医療機器制御装置に送信する送信手段を備え、
前記医療機器制御装置は、
前記送信手段により送信された患者情報を受信する受信手段と、
前記受信した患者情報を記憶する記憶手段と、
前記入力手段のうち、患者情報の入力先として登録された入力先手段として設定する入力先設定手段と、
前記複数の医療機器のうち、前記入力先手段からの患者情報を共有するために、該患者情報を転送する転送先の医療機器を設定する転送先設定手段と、
少なくとも前記入力先手段及び前記転送先の医療機器の情報を含み、前記入力先手段からの患者情報を転送する転送ルートに係るルート情報と、前記入力先手段から入力された患者情報とを記憶する記憶手段と、
前記ルート情報に基づき、前記入力先手段から入力される患者情報を、前記転送先の医療機器へ転送する転送手段と、
を備えることを特徴とする。
【０００７】
本発明の医療機器制御装置は、医療行為を行うための複数の医療機器を制御すると共に、患者情報の入力を行う複数の入力手段を直接、若しくは前記医療機器を介して制御するものであって、
前記複数の入力手段のうちから、患者情報の入力先として登録された入力先手段を設定する入力先設定手段と、
前記複数の医療機器のうちから、前記入力先手段からの患者情報を共有するため、該患者情報を転送する転送先の医療機器を設定する転送先設定手段と、
少なくとも前記入力先手段及び前記転送先の医療機器の情報を含み、前記入力先手段から入力された前記患者情報を転送する転送ルートに係るルート情報と、前記入力先手段から入力された患者情報とを記憶する記憶手段と、
前記入力先手段から入力される患者情報に対する判定結果に応じて、該患者情報を前記転送先の医療機器に転送するか否かの制御動作を行う転送制御手段と、
を備えたことを特徴とする。
【発明の効果】
【０００８】
本発明によれば、ユーザ若しくは施設において実際に望まれる使用形態に適合した患者情報の共有化を行うことができる。
【発明を実施するための最良の形態】
【０００９】
以下、図面を参照して本発明の実施例を説明する。  
【実施例１】
【００１０】
図１ないし図１２は本発明の実施例１に係り、図１は本発明の実施例１の医療システムの全体構成を示し、図２は図１における代表的な入力手段の具体例を示し、図３は図１の手術室内に配置された医療機器の詳細な構成例を示し、図４はビデオプロセッサの主要な構成例、図５はシステムコントローラの主要な構成例、図６はＡＶコントロールシステムの主要な構成例を示す。  
図７は患者情報の詳細なデータ例を示し、図８はシステムコントローラに接続された入力先候補となる入力手段を備えた医療機器及び転送先候補となる医療機器とを示し、図９は図８の医療機器から患者情報の入力先の医療機器及び転送先の医療機器を設定するルート設定画面を示し、図１０はルート設定を行う動作のフローチャートを示し、図１１は医師名を用いてルート設定を行う動作の一部を示し、図１２は実際に患者情報が入力された場合における医療システムにおける動作のフローチャートを示す。
【００１１】
図１に示すように実施例１の医療システム１は、例えば病院に設けられている。なお、図１では概略の構成を示している。  
この医療システム１は、手術室２内に設けられた手術室内医療システム３と、この手術室内医療システム３を構成するシステムコントローラ４が接続されたイーサネット（登録商標）等の病院内ＬＡＮ５に接続されたサーバ６と、医局端末７と、検査室８に設けられた医療機器としての例えば検査用ビデオプロセッサ（以下、第３ビデオプロセッサ）２０及びプリンタ２１等から構成される。  
図１に示すように手術室２内の手術室内医療システム３には、患者情報等を入力する複数の入力手段（又は入力装置）及び医療行為を行うための複数の医療機器と、複数の医療機器を集中制御するシステムコントローラ４とが設けられている。  
また、このシステムコントローラ４は、後述するように患者情報の入力と、その患者情報を共有する医療機器への転送とに係る制御処理を行う医療機器制御装置としての機能を有する。
【００１２】
このシステムコントローラ４には、それぞれ通信線１０ａ、１０ｂを介して第１入力手段を備えた例えば手術用ビデオプロセッサ（以下、第１ビデオプロセッサ）１１及び第２入力手段を備えた手術用ビデオプロセッサ（以下、第２ビデオプロセッサと略記）１２とがそれぞれ接続されている。  
なお、図３にて説明するように第２入力手段を備えた第２ビデオプロセッサ１２等は、中継ユニット５７（図１では点線で示している）を介してシステムコントローラ４に接続される構成にしても良い。  
また、第１ビデオプロセッサ１１及び第２ビデオプロセッサ１２には、それぞれ第３及び第４入力手段を備えた例えばプリンタ１３及びデジタルレコーダ１４がそれぞれ接続されている。
【００１３】
なお、図３にて後述するように例えばプリンタ１３を（電気メス装置３６等の他の医療機器のように通信線を介して）直接システムコントローラ４に接続する構成にしても良い。  
また、システムコントローラ４には、例えば第５入力手段としての入力機能を備えたタッチパネル（又は操作パネル）１５が接続されている。  
また、この手術室２内には、医療行為を行うための医療機器ではないが、医療行為を行う環境、雰囲気を向上するための音響及び映像（ＡＶと略記）システム２２が設けてある。そして、システムコントローラ４には、ＡＶコントロールシステム２２を構成すると共に、第６入力手段を備えたＡＶシステムコントローラ１６が通信線１０ｃを介して接続されている。
【００１４】
ＡＶシステムコントローラ１６は、図示しない音響装置及び映像装置を制御する。また、このＡＶシステムコントローラ１６は、第７入力手段を備えた例えばプリンタ１７と、第８入力手段を備えた例えばデジタルレコーダ１８とが接続されている。  
システムコントローラ４、第１ビデオプロセッサ１１、 ＡＶシステムコントローラ１６は、それぞれ通信線２３ａ、２３ｂ、２３ｃを介して病院内ＬＡＮ５に接続されている。  
なお、第９入力手段を備えた医局端末７や第１０入力手段を備えた第３ビデオプロセッサ２０も病院内ＬＡＮ５に接続されている。そして、この病院内ＬＡＮ５に接続されたシステムコントローラ４及び医療機器等は、サーバ６に設けられたデータベースを構成する病院情報システム（ＨＩＳと略記）６ａを利用可能にしている。なお、ビデオプロセッサ２０に接続されたプリンタ２１は第１１入力手段を備えている。
【００１５】
図２は、主要な入力手段の具体例を示す。図２に示すように例えば手術室２内に設けられた例えば第１ビデオプロセッサ１１には、第１入力手段としてのビデオプロセッサ用キーボード（以下、単にキーボード）２４が接続されている。そして、術者や看護師などのユーザは、このキーボード２４から患者情報（若しくは患者データ）等を入力することができる。  
また、システムコントローラ４には、タッチパネル１５が接続されており、ユーザはこのタッチパネル１５から患者情報等を入力することができる。図２では、２つの入力手段の場合を説明したが、他の入力手段も例えばキーボード２４と同様の構成である。勿論、入力手段として、キーボード２４に限定されるものでない。  
次に図３を参照して、手術室２内に設けられた手術室内医療システム３の構成を説明する。この手術室内には、患者３０が横たわる患者ベッド３２と、第１の内視鏡手術システム３３が配置される。この内視鏡手術システム３３は、第１トロリ３４に複数の医療機器を搭載して形成されている。また、手技によっては第２の内視鏡手術システム３５が使用される。
【００１６】
第１トロリ３４には、医療機器として、例えば電気メス装置３６、気腹装置３７、光源装置３８、第１ビデオプロセッサ１１及びプリンタ１３等の機器類と、二酸化炭素等を充填したガスボンベ４１が載置されている。光源装置３８及び第１ビデオプロセッサ１１は、第１の内視鏡４２に接続される。  
また、前記第１トロリ３４には、内視鏡画像等を表示する内視鏡モニタ４３、第１の集中表示パネル４４、タッチパネル１５等が載置されている。  
また、前記第１の集中表示パネル４４は、手術中のあらゆるデータを選択的に表示させることが可能な表示手段である。  
前記タッチパネル１５は、例えば液晶ディスプレイ等の表示部と、この表示部上に一体的に設けられた例えばタッチセンサとを有し、例えば非滅菌域にいる看護師等が主に操作する集中操作装置として使用される。
【００１７】
また、患者ベッド３２の近傍には、別置き表示モニタ４６が配されている。この別置き表示モニタ４６は、術中のデータに加えて、ＣＴスキャンデータやバイタルサインや過去の症例情報など、手技に関するあらゆる情報を表示する表示手段である。この別置き表示モニタ４６は、キャスター付きの移動台を有する支持部材４６Ａに固定されており、移動が自在であり、例えば術者が所望とする位置に配備可能になっている。  
さらに、第１トロリ３４には、本医療システム１全体の集中制御を行う集中制御装置であると共に、医療機器制御装置としてのシステムコントローラ４が載置されている。このシステムコントローラ４には、第１ビデオプロセッサ１１が通信線１０ａ（図３中では図示せず）により接続されると共に、電気メス装置３６、気腹装置３７、前記光源装置３８等が、図示しない通信線を介して接続されている。
【００１８】
一方、手技によって配備される第２の内視鏡手術システム３５は、第２トロリ５０に複数の医療機器を搭載して形成されている。  
第２トロリ５０には、被制御機器である光源装置５１、第２ビデオプロセッサ１２、デジタルレコーダ１４、超音波凝固切開装置５９、内視鏡モニタ５５及び録画内容表示用集中表示パネル５６とが載置されている。  
光源装置５１及び第２ビデオプロセッサ１２は、第２の内視鏡５４に接続される。内視鏡モニタ５５は、第２ビデオプロセッサ１２からの出力される内視鏡画像等を表示する。また、録画内容表示用集中表示パネル５６は、録画された内容を集中して表示したり、手術中のあらゆるデータを選択的に表示させることが可能になっている。  
ビデオプロセッサ１２及び光源装置５１、超音波凝固切開装置５９、内視鏡モニタ５５及び録画内容表示用集中表示パネル５６等の各医療機器は、図示しないインターフェイスケーブルにより中継ユニット５７に接続されている。
【００１９】
また、中継ユニット５７は、中継ケーブル５８によって、第１トロリ３４に搭載されているシステムコントローラ４に接続される。  
また、システムコントローラ４に対して入力操作するための有線方式のリモートコントローラ（以下、リモコンと称す）４８と無線方式の無線リモコン４９とが設けられている。有線方式のリモコン４８は、システムコントローラ４にケーブルを介して接続されている。このリモコン４８は、滅菌域にいる術者等が主に操作する。また、無線リモコン４９により術者等が操作することもできる。  
また、システムコントローラ４には、マイクセット５２が接続され、術者はマイクセット５２を装着して、音声によりシステムコントローラ４に指示入力などを行うことができるようにしている。
【００２０】
また、手術室２の壁面付近には、上述したＡＶコントロールシステム２２を構成するＡＶシステムコントローラ１６は、プリンタ１７、デジタルレコーダ１８が配置されている。  
また、手術の様子を撮影する手術室カメラ５３も設けられている。次に主要な医療機器の概略の構成を説明する。図４は第１ビデオプロセッサ１１の概略の構成を示す。  
この第１ビデオプロセッサ１１は、この第１ビデオプロセッサ１１を構成する各部を制御する制御部６０、この制御部６０に接続されると共に、例えば第１の内視鏡４２に対する信号処理を行う信号処理部６１、患者情報等の入力を行うキーボード２４と接続されるキーボードインタフェース６２とを有する。  
また、この第１ビデオプロセッサ１１は、サーバ６のＨＩＳ６ａ（若しくは病院内ＬＡＮ５）との通信インタフェース６３、システムコントローラ４と通信を行う通信インタフェース６４、及びこのビデオプロセッサ１１に接続されるプリンタ１３（或いはレコーダ）との通信インタフェース６５を有する。
【００２１】
そして、制御部６０は、例えばユーザがキーボード２４を用いて患者情報を入力すると、通信インタフェース６４、病院内ＬＡＮ５を介してシステムコントローラ４にその患者情報を送信する。従って、この通信インタフェース６４は、患者情報の送信手段を構成する。また、システムコントローラ４側も、この第１ビデオプロセッサ１１等のように入力手段を備えた医療機器から患者情報を受信する受信手段（図６における通信インターフェース７４等）を有する。  
また、後述するように第１ビデオプロセッサ１１が患者情報を共有する共有対象（転送先）の医療機器に設定された場合には、システムコントローラ４から患者情報が通信インタフェース６５を介して転送（送信）されることになる。  
また、第１ビデオプロセッサ１１とは異なる他の医療機器、例えば電気メス装置３６は、図４において、信号処理部６１とは異なる電気メスによる処置に関係する機能を有すると共に、この電気メス装置３６ではキーボードインターフェースを有しない構成である。  また、図５に示すようにＡＶシステムコントローラ１６は、このＡＶシステムコントローラ１６を構成する各部を制御する制御部６６、プリンタ１７及びデジタルレコーダ１８との通信インタフェース６７、システムコントローラ４との通信インタフェース６８、第６入力手段としての例えばタッチパネル６９ａと接続されるタッチパネルインタフェース６９を有する。
【００２２】
また、図６に示すようにシステムコントローラ４は、このシステムコントローラ４を構成する各部及び医療システム１を構成する複数の医療機器等に対する制御を行う制御部７１、この制御部７１に接続されたフラッシュメモリ、ハードディスク装置等、情報を記憶する記憶部７２、第５入力手段のタッチパネル１５と接続するためのタッチパネルインタフェース７３、ビデオプロセッサとの通信インタフェース７４、気腹装置３７等の医療機器との通信インターフェース７５、ＡＶコントロールシステム２２との通信インタフェース７６を有する。  
なお、図３の中継ユニット５７と通信を行う（図６中では点線で示す）中継ユニットとの通信インタフェース７７を備える構成にしても良い。  
また、本実施例に係る制御部７１は、以下に説明するように医療システム１を構成する複数の医療機器等に設けられた患者情報を入力する複数の入力手段のうちから、（医療システム１として）実際に患者情報の入力を受け付ける入力先となる入力手段を設定したり、この設定された入力手段から入力された患者情報を転送する転送先の医療機器の設定等の制御若しくは管理を行う医療機器制御装置を形成する。また、この制御部７１は、患者情報の入力を検知（若しくは監視）する検知手段の機能を有する。
【００２３】
なお、患者情報の入力を受け付ける入力手段としては、医療機器に不随して設けられたものに限定されるものでないが、説明を簡単化するために入力手段は主に医療機器に不随して設けられていることを想定して説明する。  
この制御部７１は、複数の入力手段のうちから、実際に患者情報の入力を受け付ける入力先手段としてなる入力手段を設定若しくは登録する入力先設定部７１ａを有する。本実施例では、複数の入力手段のうちから、入力先手段として１つの入力手段を設定若しくは登録により決定する。  
そして、入力先設定部７１ａにより設定された設定情報は、記憶部７２に入力先設定情報７２ａとして記憶される。  
また、この制御部７１は、設定された入力先手段から入力された患者情報を共有化する共有対象の医療機器、換言すると入力先手段により入力された患者情報を転送（若しくは出力）する転送先の医療機器を設定する転送先医療機器設定部（以下、転送先設定部）７１ｂの機能を有する。この転送先の医療機器は、患者情報を共有することになる共有対象の医療機器となる。
【００２４】
この転送先設定部７１ｂの情報も記憶部７２に転送先設定情報７２ｂとして記憶される。  
また、制御部７１は、転送先設定部７１ｂとして、例えば複数の医療機器を設定した場合には、制御部７１から患者情報を転送先の医療機器に転送する転送ルートを設定するルート設定部７１ｃの機能を有する。そして、このルート設定部７１ｃによる情報は、記憶部７２にルート設定情報７２ｃとして記憶される。  
なお、ルート設定情報７２ｃとして、入力先手段の情報、つまり入力先設定情報７２ａと転送先設定部７１ｂの情報、つまり転送先設定情報７２ｂとを含めた情報としても良い。つまり、ルート設定情報７２ｃとして転送ルートに直接関係するものと、転送を行う必要があるか否かを判定する際に必要となる入力先設定情報７２ａも含めるようにしても良い。
【００２５】
つまり、図６において、記憶部７２は、入力先設定情報７２ａ、転送先設定情報７２ｂ、ルート設定情報７２ｃとを示しているが、ルート設定情報７２ｃが入力先設定情報７２ａ及び転送先設定情報７２ｂを含む構成でも良い。また、医療システム１が単純な構成或いはその転送ルートが単純な場合には、ルート設定情報７２ｃとして、入力先設定情報７２ａ及び転送先設定情報７２ｂのみを含めば良い場合もありえる。  
上記のようにルート設定情報７２ｃが入力先設定情報７２ａ及び転送先設定情報７２ｂを含む構成にすると、制御部７１は、このルート設定情報７２ｃを参照することにより、入力手段から入力された患者情報が入力先に設定されている入力手段であるか否かの判定や、入力先に設定されていると判定した場合の転送先の医療機器の情報の取得でき、効率的な制御処理を行うことができる。  
このため、以下の説明では、ルート設定情報７２ｃは、入力先設定情報７２ａ及び転送先設定情報７２ｂを含むとして説明する。
【００２６】
なお、制御部７１は、上記のように入力手段から入力された患者情報が入力先に設定されている入力手段であるか否かの判定を行う判定手段の機能も持つ。また、制御部７１は、医療システム１において設定されている患者情報を記憶部７２に記憶保持する。  
また、入力手段や入力先手段から患者情報が入力された場合、記憶部７２にその患者情報を一時的に記憶する。そして、判定結果として更新すべき患者情報である場合には、以前に記憶保持している患者情報を更新したり、更新すべきでないと判定した場合には入力手段から一時的に記憶した患者情報を破棄する。  
記憶部７２に記憶するルート設定情報７２ｃとして、例えば入力先に設定された入力手段のコード、（制御部７１から）第１番目に転送する第１転送先の医療機器のコード、第２番目に転送する第２転送先の医療機器のコード、…、最後に転送する最後の転送先の医療機器のコードのように記憶しても良い。
【００２７】
なお、転送ルートは、通常は、制御部７１から患者情報が転送される転送先の医療機器となるが、これに限定されるものでない。例えば制御部７１から通信線１０ｂを介して第２ビデオプロセッサ１２に転送する転送ルートと、例えば患者情報の入力先となる第１ビデオプロセッサ１１から（制御部７１を経由しないで）通信線２３ｂによる病院内ＬＡＮ５経由で医局端末７に転送する転送ルートを併用して患者情報を転送するようにしても良い。  
この場合のように、設定される入力先や転送先の医療機器に応じて、複数の転送ルートがその医療システム１内に存在する場合には、制御部７１は例えばデフォルトで設定された転送ルートで設定する。或いは、使用形態に応じて、ユーザに対して、複数の転送ルートが存在することを告知し、ユーザが決定するようにしても良い。或いは、以前の転送に要した時間の平均値等を調べて、転送をより短時間で行える転送ルートに自動設定するようにしても良い。
【００２８】
また、制御部７１は、医療システム１が動作中の場合、複数の入力手段からの入力を監視し、実際に入力操作が行われた場合、その入力手段が入力先として登録（許可）された入力手段か、つまり入力先設定情報７２ａに該当する入力手段であるかの判定を行う。    そして、入力先設定情報７２ａに該当する入力手段から患者情報が入力された場合には、制御部７１は、ルート設定情報７２ｃを参照して、記憶部７２の患者情報を更新すると共に、共有対象となる転送先の医療機器にその患者情報を転送する。転送された医療機器は、その患者情報を更新する。  
つまり、この制御部７１は、ルート設定情報７２ｃに従って、患者情報を転送する転送部若しくは転送制御する転送制御部７１ｄの機能を有する。  
図７は、入力手段から入力される患者情報の種類（項目）とその最大文字数（最大情報量）の具体例を示す。患者情報の種類として具体的には、患者ＩＤ、患者氏名、年令、性別、患者生年月日、医師名、コメント等があり、それぞれ最大文字数が決められている。  また、図８は、入力先の入力手段として設定可能な入力先候補の医療機器（の入力手段）例と、転送先の医療機器として設定可能な転送先の医療機器候補例を示す。なお、−は、何も行わない候補例であり、これを選択することもできる。
【００２９】
そして、ユーザは、図９に示すように例えばタッチパネル１５の操作画面上に表示される入力先設定画面及び転送先設定画面により、患者情報の入力先の入力手段と転送先の医療機器を選択して設定（登録）することができる。  
ユーザはこの操作画面上の入力先設定画面において、入力先に設定しようとする医療機器（の入力手段）を１つタッチにより選択設定する。図９の例では、例えば第１ビデオプロセッサ１１（のキーボード２４）を入力先に選択した例を示している。なお、１つも選択しないで、入力先を設定しないこともできる。なお、入力先を複数設定する実施例に関しては後述する。  
また、ユーザは、転送先設定画面において入力先から入力された患者情報を共有するために転送先の医療機器を選択設定する。この場合には、複数の医療機器を選択設定することができる。
【００３０】
図９では複数の医療機器を転送先の医療機器として選択した例を示している。なお、転送先の医療機器として複数の医療機器が設定された場合には、上述したようにさらに転送する順序（つまり転送の優先度）も設定されることになる。また、ユーザは、転送先の医療機器を１つも選択設定しないこともできる。  
また、このように選択を行う他に、操作画面上において、入力先と転送先とを例えば医師名により設定することができる特別選択する機能も用意されている。  
ユーザは、この特別選択に例えばチェックを入れ（て、その特別選択を選択し）、さらに医師名の欄を選択若しくは入力する。これにより、制御部７１は、予め記憶部７２に登録されたその医師名に対応する情報により、入力先と転送先の医療機器の情報を読み出して、その情報を自動的に表示する。ユーザは、確定操作により、その表示内容で入力先と転送先の医療機器を簡単に設定するができれる。
【００３１】
なお、同じ医師名で複数の組み合わせを登録することもでき、その場合には優先度の高い入力先と転送先の医療機器が優先して表示される。そして、別の入力先と転送先の医療機器を選択したい場合には、次候補の選択を行えば良い。また、一部を変更して設定することもできる。  
このように本実施例においては、複数の入力手段を備えた医療システム１において、システムコントローラ４の制御部７１は、患者情報を入力する１つの入力手段を設定すると共に、その入力手段から入力された患者情報を転送先として設定された共有対象となる医療機器に転送する。  
また、この制御部７１は、複数の入力手段が操作された場合においても、予め入力先として設定された入力手段か否かを監視し、設定された入力先以外の入力手段から患者情報が入力されても受け付けないようにする。この場合には、その入力手段に対して、患者情報の入力手段として設定されたものでない旨の通知をする。
【００３２】
このようにして、本実施例は、この医療システム１が病院等において使用される場合、ユーザ或いは施設により実際に使用しようと望む使用形態に応じて患者情報の入力を受け付ける入力手段及び共有化しようとする共有対象の医療機器（転送先の医療機器）等を任意に設定できる構成にして、患者情報を有効利用し易い構成にしている。  
次に本実施例の動作を説明する。図１０は、本実施例におけるルート設定の動作のフローチャートを示す。最初のステップＳ１においてユーザは医療システム１を起動する。    すると、次のステップＳ２においてシステムコントローラ４は、通信線１０ａ等と２３ａ等を介して通信可能な医療機器（図１０では簡略的に接続されている医療機器と略記）を確認する。そして、例えば集中表示パネル４４にそれらの医療機器を表示する。但し、本実施例ではＡＶシステムコントローラ１６等の機器も医療機器に含めて制御可能としている。
【００３３】
そして、次のステップＳ３においてシステムコントローラ４の制御部７１は、ルート設定のための入力先画面の表示を行い、図８及び図９で説明したようにユーザは入力先とする医療機器（又は入力手段、）を選択を行う。  
また、次のステップＳ４においてシステムコントローラ４の制御部７１は、転送先画面の表示を行い、図８及び図９で説明したようにユーザは転送先の医療機器の選択を行う。また、転送先の医療機器が複数の場合には、転送先に転送する順序の設定を行うこともできる。また、必要に応じて転送するルートの選択設定も行うことができる。  
このようにしてステップＳ３及びＳ４により選択設定された情報は、ステップＳ５に示すように記憶部７２に登録（記憶）される。そして、このルート設定の処理が終了する。そして、医療システム１は、動作状態になる。
【００３４】
なお、図１０において、特別選択の場合を含めた場合には図１１のようになる。つまり、ステップＳ２の次にステップＳ３ａに進む。このステップＳ３ａにおいて、ユーザは入力先を直接、選択する場合と特別選択する場合とを選択することができる。直接選択する場合にはステップＳ３ｂに進む。一方、特別選択する場合には、ステップＳ３ｃに進み、医師名で入力先を選択する。  
ステップＳ３ｂ或いはＳ３ｃの次にステップＳ４ａに進む。このステップＳ４ａにおいて、ユーザは転送先を直接、選択する場合と特別選択する場合とを選択することができる。直接選択する場合にはステップＳ４ｂに進む。一方、特別選択する場合には、ステップＳ４ｃに進み、医師名で転送先を選択する。ステップＳ４ｂ或いはＳ４ｃの次にステップＳ５に進む。  
医師名で入力先と転送先を選択すると、入力先と転送先を簡単に設定することができる。
【００３５】
医療システム１が動作状態になって、患者情報が入力された場合の動作は図１２のフローチャートのようになる。  
ステップＳ１１に示すように医療システム１を構成し、システムコントローラ４と通信可能な医療機器の入力手段から、看護師等のユーザが患者情報を入力したとする。この入力された患者情報は、システムコントローラ４の制御部７１に送信される。  
ステップＳ１２に示すようにシステムコントローラ４の制御部７１は、送信されたこの患者情報が、現在設定されている患者情報と異なり、更新すべき患者情報か否かを判定（検知）する。現在設定されている患者情報は、例えば記憶部７２に記憶されている。なお、医療システム１が起動した直後のように患者情報が最初に入力される場合には、制御部７１は、更新すべき患者情報と判定する。
【００３６】
医療システム１が動作中において、既に患者情報が設定されている状態で、この患者情報が制御部７１に送信された場合には、制御部７１は後者の患者情報が更新すべきかの判定を行う。  
なお、制御部７１は、以前の患者情報と同じ患者情報と判定した場合には、例えば何も行わない（処理する必要がなく、処理負担を軽減する）で、図１２の処理を終了する。この場合、設定されている患者情報と同じである旨の表示を行った後、終了しても良い。    ステップＳ１２において、更新すべき患者情報が送信された場合には、ステップＳ１３において制御部７１は、記憶部７２からルート設定に関する情報を読み出す。この場合、少なくとも入力先として設定されている医療機器（の入力手段）の情報としての入力先設定情報７２ａを読み出す。  
次のステップＳ１４において制御部７１は、ステップＳ１１の入力手段が、記憶部７２から読み出したルート設定の情報に適合するか否かの判定を行う。具体的には、ステップＳ１１の医療機器の入力手段が、入力先として設定された入力手段であるか否かの判定を行う。
【００３７】
そして、ルート設定の情報に適合すると判定した場合には、ステップＳ１５において制御部７１は、そのルート設定の情報を参照して、入力された患者情報をルート設定されている転送先の医療機器に転送する。なお、転送先の医療機器が複数ある場合には、複数の転送先の医療機器にその患者情報がそれぞれ転送される。また、転送の優先度が設定されている場合には、その優先度に沿って患者情報を転送する。また、制御部７１は、記憶部７２に記憶されている患者情報も更新する。  
次のステップＳ１６に示すように転送先の医療機器は、以前の患者情報から制御部７１から転送された患者情報に更新する。この場合、以前の患者情報がまだ入力されていない場合も転送された患者情報に更新される。そして、図１２の処理を終了する。  
このようにして、入力先として設定された入力手段から更新すべき患者情報が入力された場合には、ルート設定の情報に従って患者情報が転送先の医療機器に転送され、速やかに更新すべき患者情報に更新される。そして、これらの転送先の医療機器において、更新すべき患者情報を共有することができる。
【００３８】
一方、ステップＳ１４においてルート設定の情報に適合しないと判定した場合には、ステップＳ１７に示すように制御部７１はルート設定に適合しない旨の情報を告知する。
【００３９】
そして、次のステップＳ１８において制御部７１は、ルート設定に適合しない患者情報により患者情報を更新することを中止（禁止）する。  
つまり、入力先として設定された入力手段以外から既に設定されている患者情報と異なる患者情報が入力されても、以前に設定されている患者情報が更新されてしまうことを防止できる。このため、医療システム１における患者情報の更新に対する信頼性を向上することができる。  
このように、本実施例の医療システム１によれば、ユーザ若しくはこの医療システム１が設けられた施設における実際に望む使用形態に沿って、患者情報の入力先の医療機器若しくは入力手段を設定できる。また、入力された患者情報を共有しようとする医療機器も、実際に使用しようと望む使用形態に応じて設定することができる。
【００４０】
従って、本実施例によれば、実際に使用しようとする使用形態に適合した患者情報の共有化を実現することができる。  
また、患者情報の入力先の医療機器若しくは入力手段を１つに限定した設定とする構成とすることにより、入力先として設定されていない入力手段からの患者情報の入力により、既に設定されている患者情報が不用意に変更されてしまうことを有効に防止できる。    また、上記のように患者情報を更新する場合の条件（具体的には、患者情報の入力先として許可された入力手段を１つに制限する設定と、その入力手段から更新すべき患者情報が入力された場合にのみ患者情報を更新するとする条件）を設定することにより、設定された患者情報の信頼性を向上することができる。  
また、本実施例に係る制御部７１により、患者情報の入力先等に関する設定制御と、患者情報の共有化のための転送処理等を効率良く行うことができる。
【実施例２】
【００４１】
次に本発明の実施例２を図１３及び図１４を参照して説明する。本実施例は、図１の医療システム１において、入力先の医療機器（の入力手段）を複数、設定できる構成にしている。また、この構成に対応してシステムコントローラ４の制御部７１は、入力先が複数に設定された場合に対応する制御を行う。  
以下に説明するように制御部７１は、入力先を複数とする設定、その設定情報の記憶制御、複数の入力先から患者情報が入力された場合にどの入力先の患者情報を優先するかの優先度の設定等に関する制御を行う。  
次にその制御動作を説明する。図１３は本実施例における入力先設定画面及び転送先設定画面を示す。  
実施例１における図９においては入力先として１つの入力手段を設定した場合で説明したが、本実施例においてはユーザは、入力先として複数の入力手段を選択設定（登録）することができるようにしている。
【００４２】
図１３の例では、例えば医局端末７、第１ビデオプロセッサ１１の２つ（図示しない３つ等の複数でも良い）が、患者情報の入力先の医療機器に設定されている。  
また、このように患者情報の入力先として複数の医療機器又は入力手段が設定された場合において、その優先度（優先順位）を設定できるようにしている。  
優先度を設定することにより、患者情報が複数の入力先から殆ど同時に入力されたような場合に、予め設定された優先度に沿って患者情報の入力に対する処理ができる。  
また、転送先の医療機器に対しても、優先度を設定できるようにしている（転送先の医療機器に関しては実施例１においても優先度を付けている）。そして、複数の入力先の場合の優先度と、転送の際の優先度の情報は図６に示した記憶部７２に記憶される。ルート設定情報７２ｃ内に優先度の情報を含めるようにしても良い。
【００４３】
そして、患者情報が入力された場合には、制御部７１は、記憶部７２に記憶されている情報を参照して更新すべき患者情報であるか否かの判定や、更新すべき患者情報の場合には共有すべき転送先の医療機器にその患者情報を転送する制御処理を行う。  
なお、本実施例においては、例えば図１３に示すように複数の入力先を設定し、かつ優先度を設定した場合、制御部７１は、優先度が高い順に入力先を表示するように制御する。転送先に関しても同様である。その他の構成は、例えば実施例１と同様である。  
上記のように患者情報の入力先と転送先が設定された状態において、実際に患者情報が入力された場合の動作を図１４のフローチャートを参照して説明する。なお、以下の説明では、簡単化のため、入力先が複数設定されているとして説明する（単数の場合には、実施例１と同じで良いため）。
【００４４】
医療システム１の動作状態において、ステップＳ２１において看護師等のユーザは、患者情報を入力する場合には、例えばシステムコントローラ４に接続された入力手段や医療機器に設けられた入力手段から患者情報の入力画面（モード）を選択する。  
すると、その選択の情報は、システムコントローラ４の制御部７１に送信される。  
そして、次のステップＳ２２において制御部７１は、その特定の医療機器（の入力手段）が患者情報を入力する入力状態になったことの通知を受ける。  
また、ユーザは、この入力画面（モード）において、患者情報の入力を行うことができる。なお、この段階においては、入力された患者情報は暫定的に利用される。  
次のステップＳ２３において制御部７１は、図１２のステップＳ１２の場合と同様に、入力された患者情報が更新すべき患者情報であるか否かの判定を行う。
【００４５】
そして、制御部７１は、更新すべき患者情報でないと判定した場合には、その患者情報が前の患者情報と同じである旨を表示（或いはその医療機器に通知）する等して、この処理を終了する。  
一方、更新すべき患者情報であると判定した場合には、次のステップＳ２４において制御部７１は、記憶部７２からルート設定に関する情報を読み出す。この場合、例えば入力先として設定されている情報の他に、入力先として複数の医療機器が設定されている場合には、その優先度の情報等も読み出す。  
更に次のステップＳ２５において制御部７１は、入力先に設定されている複数の医療機器（の入力手段）におけるその複数から患者情報が入力されている状態（この状態を入力可能状態という）か否かの判定を行う。  
そして、その医療機器（の入力手段）が複数でない、つまり単数と判定した場合には、次のステップＳ２６において制御部７１は、その医療機器に対して入力可能状態である旨のメッセージを通知後、所定時間だけ待つ。
【００４６】
この所定時間待った後の次のステップＳ２７において制御部７１は、別の医療機器から患者情報が入力されている入力可能状態が検知されるか否かの判定を行う。この判定により、別の医療機器から患者情報の入力が検知されていない場合には、ステップＳ２８において制御部７１は、先の医療機器からの患者情報の入力を受け付け可能とする状態にする。そして、制御部７１は、その患者情報の入力を受け付け、その患者情報を記憶部７２に更新記憶する。  
さらに制御部７１は、この患者情報を転送先に設定されている転送先の医療機器に、転送の優先度に従って転送する。そして、ステップＳ３１に示すように転送先の医療機器は、この患者情報によって以前の患者情報を更新して、この処理を終了する。  
一方、ステップＳ２５の判定において、制御部７１は入力可能に設定された医療機器が既に複数である場合、或いは複数ではないがステップＳ２６による所定時間の経過後に、複数になったと判定した場合にはステップＳ２９に進む。
【００４７】
このステップＳ２９において制御部７１は、ステップＳ２４において読み出した入力先として設定された複数の医療機器におけるその優先度の情報に従って、最も優先度が高い医療機器による患者情報の入力を受け付け（許可し）、その他のより優先度の低い医療機器による患者情報の入力を許可しない（禁止する）。  
なお、最も優先度が高い医療機器から入力された患者情報がステップＳ２２において入力された患者情報とは異なる場合には、ステップＳ２３のようにその患者情報が更新すべき患者情報か否かの判定を行う。そして、更新すべき患者情報の場合に対してステップＳ２９以降の処理を行う。これに対して、更新すべき患者情報でない場合には、その患者情報を無視して、更新すべき患者情報における最も優先度が高い入力先の患者情報を優先する。  
そして、次のステップＳ３０において制御部７１は、優先度の低い医療機器等に対しては、別の医療機器（つまり、より優先度が高い医療機器）において患者情報の入力状態になっている旨を通知する。
【００４８】
また、次のステップＳ３１において制御部７１は、更新すべき患者情報を転送先に設定されている転送先の医療機器に、転送の優先度に従って転送する。そして、ステップＳ３２に示すように転送先の医療機器は、この患者情報により以前の患者情報を更新して、この処理を終了する。  
このような動作を行う本実施例は、入力先の医療機器として複数の医療機器を設定することができる。また、医療システム１において、複数の医療機器から殆ど同時に患者情報が入力された場合においても、それらの複数の医療機器において、設定された優先度に従って優先すべき医療機器からの患者情報を優先させることができる。  
従って、ユーザ或いは施設における実際に使用しようと望む使用形態に応じた設定を行うことにより、その使用形態に適合した状態で患者情報を入力できるようにできると共に、入力された患者情報を所望とする医療機器で共有することができる。
【００４９】
また、上述したように本実施例においては、入力先として設定された複数の医療機器（若しくは入力手段）の１つから更新すべき患者情報が入力された場合には、（予め設定された）所定時間の経過を待った後、その患者情報で更新するか否かの判定を行うようにしている。  
この処理により、医療システム１を構成し、入力先として設定された複数の医療機器から通信手段を介してシステムコントローラ４に対して患者情報を入力した場合、その入力のタイミングが若干異なる場合においても、優先度が高い医療機器からの患者情報を優先して処理することができる。  
このため、本実施例は、通信手段によりシステムコントローラ４と医療機器間とで情報伝達に時間差があるような環境下においてもその時間差（時間遅延量）が異なる場合にも、その影響を軽減することができる。
【００５０】
なお、上記の説明は、入力先として設定された医療機器が例えば３以上の複数（ｍとする）の場合には、１つの医療機器から患者情報が入力された場合にのみ、所定時間が経過するのを待つ場合に限定されるものでなく、ｍ−１以下の医療機器から患者情報が入力された場合に対しても適用しても良い。  
また、本実施例は、入力先として複数の医療機器又は入力手段を設定できるため、例えば内視鏡を用いて複合的な手術等を行う場合にも、その使用形態に適合した患者情報の入力環境等に容易に設定できる。  
例えばある患者において内視鏡検査（内視鏡診断）を行い、その診断結果により、引き続いて例えば腹腔内の手術を行うことが望まれる場合がある。この場合には、例えば図１における検査室８に設置されているビデオプロセッサ２０等の医療機器を手術室２内に移動して、手術室２内により多くの内視鏡及びビデオプロセッサを用意して手術を行う。
【００５１】
また、この場合には、以前の患者情報から医師名をさらに追加する等、患者情報を更新して、手術を行うことになる。このため、通常は内視鏡検査に対する患者情報の入力先として例えば医局端末７から患者情報を入力する入力先に設定する他に、手術室２内に配置された例えば第１ビデオプロセッサ１１等からも患者情報を入力可能とするように入力先に設定できるようにしておくと、このような複合的な手術等の際の患者情報の入力が行い易くなる。  
このように本実施例によれば、患者情報の入力先の医療機器又は入力手段として複数、設定でき、かつそれらによる患者情報の入力に適切に対応できる。その他、実施例１と同様の効果を有する。
【実施例３】
【００５２】
次に本発明の実施例３を図１５を参照して説明する。本実施例は、例えば図１の医療システム１において、医療行為の最中、より具体的には手術中若しくは検査中においては患者情報の更新を禁止ないしは制限する機能を設けたものである。  
このため、システムコントローラ４の制御部７１は、医療行為の最中、つまり手術中であるか否かを監視する機能を持つ。具体的には、例えば図１に示した手術室２において、図１５に示すようにシステムコントローラ４の制御部７１は、電気メス装置３６及び気腹装置３７が動作状態か否かを監視する。そして、その監視により、制御部７１は手術中若しくは検査中か否かを判定する。  
患者情報が入力された場合、制御部７１は、判定結果により患者情報の更新を許可或いは禁止する。なお、電気メス装置３６及び気腹装置３７は、例えば通信線１０ｄ及び１０ｅによりシステムコントローラ４と接続されている。
【００５３】
次に本実施例の動作を図１６を参照して説明する。図１６に示す動作は、図１２においてステップＳ１４とステップＳ１５との間にステップＳ４０が設けられている。このステップＳ４０において、制御部７１は手術中若しくは検査中であるかの判定を行う。そして、手術中若しくは検査中であるかと判定された場合には、ステップＳ１８に移り、手術中及び検査中でないと判定された場合には、ステップＳ１５に移る。  
図１７は、図１６におけるステップＳ４０の具体的な処理内容を示す。  
手術中か若しくは検査中か否かの判定処理が開始すると、ステップＳ４１に示すようにシステムコントローラ４の制御部７１は、電気メス装置３６及び気腹装置３７から、それぞれの医療機器に関するデータ（情報）を、例えばポーリングにより取得する。  
次のステップＳ４２において制御部７１は、取得したデータ中における動作状態に関するステータスを調べる（抽出する）。具体的には、電気メス装置３６が電気メス出力中であるか否かのステータスデータや気腹装置３７が気腹（送気）ＯＮであるかのステータスデータを調べる。
【００５４】
そして、次のステップＳ４３において制御部７１は、手術中若しくは検査中に関する特定ステータスがＯＮか否かを判定する。その特定ステータスがＯＮと判定した場合には、制御部７１はステップＳ４４において手術中であると判定する。そしてステップＳ１８に移る。  
一方、その特定ステータスがＯＮでない判定した場合には、制御部７１はステップＳ４５において手術中でも検査中でもないと判定する。そしてステップＳ１５に移る。  
その他の動作は、実施例１と同様である。  
本実施例によれば、手術中又は検査中においては、患者情報が更新されることを禁止することができる。従って、手術中又は検査中においては、患者情報が更新されることにより、手術中又は検査中における患者情報が不用意に変更されてしまうことを防止することができる。その他は、実施例１と同様の効果を有する。なお、実施例１の代わりに実施例２に適用することもでき、その場合には、さらに実施例２の効果を有することになる。    なお、上述した実施例等を部分的に組み合わせる等して構成される実施例等も本発明に属する。
【産業上の利用可能性】
【００５５】
患者情報を入力可能とするする複数の医療装置若しくは入力手段を備えた医療システムにおいて、内視鏡検査、内視鏡手術などの医療行為を行う場合、患者情報を実際に入力可能とする医療機器若しくは入力手段を設定すると共に、その患者情報を共有する医療機器の設定を行えるようにしている。  
これにより、入力される患者情報の信頼性を向上できると共に、ユーザ或いは施設において実際に使用しようと望む使用形態に適合して患者情報の共有化ができる。
【図面の簡単な説明】
【００５６】
【図１】図１は本発明の実施例１の医療システムの全体構成を示す構成図。
【図２】図２は図１における代表的な入力手段の具体例を示す図。
【図３】図３は図１の手術室内に配置された手術室内医療システムの詳細な構成例を示し図。
【図４】図４はビデオプロセッサの主要な構成例を示すブロック図。
【図５】図５はシステムコントローラの主要な構成例を示すブロック図。
【図６】図６はＡＶコントロールシステムの主要な構成例を示すブロック図。
【図７】図７は患者情報の詳細なデータ例を示す図。
【図８】図８はシステムコントローラに接続された入力先候補の医療機器及び転送先候補の医療機器とを示す図。
【図９】図９は図８の医療機器から患者情報の入力先の医療機器及び転送先の医療機器を設定するルート設定画面例を示す図。
【図１０】図１０はルート設定を行う動作内容を示すフローチャート。
【図１１】図１１は医師名でルート設定を行う動作内容の一部を示すフローチャート。
【図１２】図１２は実際に患者情報が入力された場合における医療システムにおける動作内容を示すフローチャート。
【図１３】本発明の実施例２における患者情報の入力先医療機器及び患者情報の転送先医療機器を設定するルート設定画面例を示す図。
【図１４】図１４は患者情報が入力された場合の動作内容を示すフローチャート。
【図１５】図１５は本発明の実施例３における手術室内に配置された手術室内医療システム部分の構成例を示し図。
【図１６】図１６は実際に患者情報が入力された場合における医療システムにおける動作内容を示すフローチャート。
【図１７】図１７は図１６におけるステップＳ４０の処理内容の詳細を示すフローチャート。
【符号の説明】
【００５７】
１…医療システム
２…手術室
３…手術室内医療システム
４…システムコントローラ
５…病院内ＬＡＮ
６…サーバ
７…医局端末
８…検査室
１０ａ，２０ｂ，１０ｃ…通信線
１１、１２、２０…ビデオプロセッサ
１５…タッチパネル
１６…電気メス装置
１７…気腹装置
２２…ＡＶシステムコントローラ
２４…キーボード
６０、６６、７１…制御部
７２…記憶部
【図１】
2008272301.tif 000003
【図２】
2008272301.tif 000004
【図３】
2008272301.tif 000005
【図４】
2008272301.tif 000006
【図５】
2008272301.tif 000007
【図６】
2008272301.tif 000008
【図７】
2008272301.tif 000009
【図８】
2008272301.tif 000010
【図９】
2008272301.tif 000011
【図１０】
2008272301.tif 000012
【図１１】
2008272301.tif 000013
【図１２】
2008272301.tif 000014
【図１３】
2008272301.tif 000015
【図１４】
2008272301.tif 000016
【図１５】
2008272301.tif 000017
【図１６】
2008272301.tif 000018
【図１７】
2008272301.tif 000019